(57)【要約】【課題】扉裏面に上下に設けたロッド棒をハンドル操作により反対方向に動かしボックス本体への鎖錠、解錠を行う電気機器収納ボックス類の扉の鎖錠装置を提供する。【解決手段】ボックス本体に枢着された扉１の裏面に、ハンドル２操作によって上下方向に動かされる第１のロッド棒３と、この第１のロッド棒３の同一直線上に動作方向の反転機構４を介して第１のロッド棒に接続された第２のロッド棒５とを設けるとともに、各ロッド棒３、５にボックス本体に設けた鎖錠受に係脱する鎖錠部６を設ける。【選択図】    図１
2004162465.tif 000002
【特許請求の範囲】
【請求項１】
ボックス本体に枢着された扉の裏面に、ハンドル操作によって上下方向に動かされる第１のロッド棒と、この第１のロッド棒の同一直線上に動作方向の反転機構を介して第１のロッド棒に接続された第２のロッド棒とを設けるとともに、各ロッド棒にボックス本体に設けた鎖錠受に係脱する鎖錠部を設けたことを特徴とする扉の鎖錠装置。
【請求項２】
動作方向の反転機構が、各ロッド棒の端部に４本のリンク杆を菱形に連結してなるリンク機構部の対向する上下の連結部を枢着してこの両連結部の軸部を扉裏面に固定させて取り付けたリンクベースに設けた案内縦溝部に係合させたものであることを特徴とする請求項１に記載の扉の鎖錠装置。
【発明の詳細な説明】
【０００１】
【発明の属する技術分野】
本発明は、扉裏面に上下に設けたロッド棒をハンドル操作により反対方向に動かしボックス本体への鎖錠、解錠を行う電気機器収納ボックス類の扉の鎖錠装置に関するものである。
【０００２】
【従来の技術】
扉裏面に上下に設けたロッド棒をハンドル操作により互いに反対方向に動かしボックス本体への鎖錠、解錠を行う電気機器収納ボックス類の扉の鎖錠装置は、従来は図１１に示すように、上下のロッド棒１０１、１０２を反対方向に動かす手段としては、両ロッド棒１０１、１０２をハンドル１００の回転軸１００ａの基端に固定した作動板１００ｂの両側に枢着して、ハンドルの回動に伴い反対方向に上下動する作動板１００ｂの両側の動きにより上下のロッド棒１０１、１０２を互いに反対方向に動かしボックス本体の扉枠部１１０の上下枠に係脱させて鎖錠、解錠を行うものであった。（例えば、特許文献１参照）
【０００３】
【特許文献１】実開平３−７９４８４号公報（図２）
【０００４】
【発明が解決しようとする課題】
ところが、前記したハンドルの回転軸に取り付けられた作動板の動きによりロッド棒が上下するものは、作動板の両端にロッド棒がそれぞれ接続されているため、ロッド棒全体の取り付けスペースが大きくなるという問題があった。また、ロッド棒の先端部の左右方向の位置は鎖錠位置と解錠位置とではわずかに異なるため、鎖錠時または解錠時に余分な力がかかりハンドルの操作が重くなる原因となっていた。
さらに、回動運動を伴わないクランプ式のハンドルではロッド棒を取り付けて鎖錠を行うには上下のロッド棒がハンドルの起伏操作に応じて同時に同じ方向に動くため、前記したようにボックス本体の扉枠部１１０の上下枠にロッド棒を係脱させて鎖錠、解錠を行うことができないものであった。
【０００５】
【課題を解決するための手段】
前記の課題を解決するためになされた本発明の扉の鎖錠装置は、ボックス本体に枢着された扉の裏面に、ハンドル操作によって上下方向に動かされる第１のロッド棒と、この第１のロッド棒の同一直線上に動作方向の反転機構を介して第１のロッド棒に接続された第２のロッド棒とを設けるとともに、各ロッド棒にボックス本体に設けた鎖錠受に係脱する鎖錠部を設けたことを特徴とするものを請求項１に記載の発明とし、この発明において、動作方向の反転機構が、各ロッド棒の端部に４本のリンク杆を菱形に連結してなるリンク機構部の対向する上下の連結部を枢着してこの両連結部の軸部を扉裏面に固定させて取り付けたリンクベースに設けた縦案内溝部に係合させたものであることを特徴とするものを請求項２に記載の発明とする。
【０００６】
前記した請求項１に記載の発明によれば、ハンドル操作によって上下方向に動かされる第１のロッド棒の同一直線上に、動作方向の反転機構を介して第１のロッド棒に第２のロッド棒が接続されているので、第１及び第２のロッド棒はハンドル操作により互いに反対方向に動き、各ロッド棒に設けた鎖錠部をボックス本体に設けた鎖錠受に係脱して鎖錠、解錠を行うものである。また、請求項２の発明によれば、動作方向の反転機構を前記のような構成としたものであるから、反転機構の厚みを薄くでき扉裏面に突出しないものである。
【０００７】
【発明の実施の形態】
次に、本発明の実施の形態を図により説明する。
１は図示を略したボックス本体に一端を枢着した扉であり、該扉１の裏面には表面に取り付けた上下に起伏自在としたハンドル２の操作により上下方向に動かされる第１のロッド棒３と、この第１のロッド棒３に動作方向の反転機構４を介して接続された第２のロッド棒５が設けられている。
【０００８】
前記の動作方向の反転機構４は、図１〜図７に示す第１の実施形態ものは、各ロッド棒３、５の端部に４本のリンク杆４１を菱形に連結してなるリンク機構部４０の上下に対向している上下連結部４２ａ、４２ａを枢着してこの上下連結部４２ａ、４２ａの軸部を扉１裏面に固定させて取り付けたリンクベース４３に設けた案内縦溝部４３ａ、４３ａに係合させたものである。
【０００９】
すなわち、この動作方向の反転機構４は図６（Ａ−１、Ａ−２）に示す状態から第１のロッド棒１をハンドル２の操作で反転機構４側に移動させるとリンク機構部４０は上下連結部４２ａ、４２ａの軸部が案内縦溝部４３ａ、４３ａに案内されて、図６（Ｂ−１、Ｂ−２）に示すように扁平に縮み第２のロッド棒５を反転機構４側に引き寄せるものである。また、これとは逆に第１のロッド棒１をハンドル２の操作で反転機構４側から上部に向け移動させるとリンク機構部４０は上下方向に伸びて広がり第２のロッド棒５を反転機構４側から下側に移動させる。以上のように、両ロッド棒３、５はハンドル操作により互いに反対方向に移動するものである。なお、リンク機構部４０の左右に対向している左右連結部４２ｂ、４２ｂの軸部を前記リンクベース４３に設けた案内横溝部４３ｂ、４３ｂに係合さておけば両ロッド棒３、５の直進性がより確実なものとなる。
【００１０】
また、図７及び図８に示す第２の実施形態の動作方向の反転機構４は、リンクベース４３の四方に脚板部４３ｃを連設して取付ベース４４に取り付けたうえ扉裏面に固定させて取り付ける他は前記の第１の実施形態動作方向の反転機構と同様の構造である。
【００１１】
さらに、図９及び図１０に示す第３の実施形態の動作方向の反転機構４は、各ロッド３、５の端部に枢着された一対のリンク杆４１、４１の両リンク杆４１、４１同士の連結軸４１ａを各ロッド３、５の動作方向に対して垂直な方向に移動自在にガイドする案内溝部４３ｄを設けたリンクベース４３からなるものであり、第１ロッド３をハンドル操作により上下動させれば一対のリンク杆４１、４１の各ロッド３、５の端部を枢着した側が開閉して第２にロッド５が逆方向に上下動するものである。
【００１２】
また、前記したいずれの実施形態にあっても第１及び第２のロッド棒３、５にはボックス本体に設けた鎖錠受に係脱する鎖錠部６が設けらており、ハンドル操作により第１ロッド３を上動位置に固定させれば第２にロッド５が逆方向の下動位置に固定されて、両ロッド棒３、５に設けた鎖錠部６、６は鎖錠受への係合を保持して鎖錠状態となる。そして、ハンドル操作により第１ロッド３を下動させれば第２にロッド５が逆方向に上動して、両ロッド棒３、５に設けた鎖錠部６、６は鎖錠受への係合を解除されて解錠状態となるものである。なお、鎖錠部６は図１、図７及び図９に示すものはロッド棒３、５の上下動によりフック部が鎖錠受けを咬持するクランプ錠式であるが、図６に示すようにロッド３、５の先端部をスライダー式の鎖錠部としてボック本体の扉枠部に係止するものとしてもよい。
【００１３】
このように構成されたものは、ハンドル操作によって上下方向に動かされる第１のロッド棒３に、動作方向の反転機構４を介して第２のロッド棒５が接続されているので、第１及び第２のロッド棒３、５はハンドル操作により互いに反対方向に動き、各ロッド棒３、５に設けた鎖錠部６、６は互いにボックス本体の上枠部側と下枠部側に向けて鎖錠を行うので、鎖錠受は上枠部と下枠部に設ければよいので、縦フレームの無い扉枠部の中央で鎖錠を行う両扉式のボックスにあってもクランプ式の鎖錠部を使用できるものである。また、第１のロッド棒３はハンドル操作により上下動するものであればよいので、ハンドル操作により上下動してボックス本体の受板に咬持するクランプ部にロッド棒３の中央を枢着して取り付けたものであってもよい。
【００１４】
【発明の効果】
以上に説明したように、本発明の扉の鎖錠装置は、ハンドル操作によって上下方向に動かされる第１のロッド棒の同一直線上に、動作方向の反転機構を介して第１のロッド棒に第２のロッド棒が接続されているので、ロッド棒全体の取り付けスペースが小さくて済むものである。また、ロッド棒の先端部の左右方向の位置は鎖錠位置と解錠位置とでは同じであるため、鎖錠棒の先端部は動作方向にしか移動しないため、鎖錠時または解錠時に余分な力がかからないためハンドル操作が軽くなるものである。さらに、各ロッド棒に設けた鎖錠部はボックス本体の上下枠部に向け鎖錠状態をとるようにできるから、ボックス本体に設ける鎖錠受は上下枠部に設けることができるので、縦フレームの無い扉枠部の中央で鎖錠を行う両開式扉のボックスにあってもクランプ式の鎖錠部を使用できるものである。
従って、本発明の扉の  鎖錠装置は従来の問題点を解決したものとして、その益大なものである。
【図面の簡単な説明】
【図１】本発明の第１の実施形態を示す斜視図である。
【図２】本発明の第１の実施形態の要部を示す表面側斜視図である。
【図３】本発明の実施形態の要部を示す裏面側斜視図である。
【図４】本発明の第１の実施形態に使用する動作方向の反転機構を示す図であり、（Ａ）は裏面側側面図、（Ｂ）は表面側斜視図である。
【図５】本発明の第１の実施形態の鎖錠部を両ロッドの先端に形成したものを示す斜視図である。
【図６】本発明の第１の実施形態の作動状態を示す図であり、（Ａ−１）は第１ロッド棒を上動させて鎖錠方向を示す要部の図、（Ａ−２）はその全体図、（Ｂ−１）は第１ロッド棒を下動させて解錠方向を示す要部の図、（Ｂ−２）はその全体図である。
【図７】本発明の第２の実施形態を示す斜視図である。
【図８】本発明の第２の実施形態に使用する動作方向の反転機構を示す図であり、（Ａ）は裏面側側面図、（Ｂ）は表面側斜視図である。本発明の第３の実施形態を示す正面図である。
【図９】本発明の第３の実施形態を示す斜視図である。
【図１０】本発明の第３の実施形態に使用する動作方向の反転機構を示す斜視図である。
【図１１】従来例を示す背面図である。
【符号の説明】
１  扉
２  ハンドル
３  第１のロッド
４  動作方向の反転機構
４０  リンク機構部
４１  リンク杆
４２ａ    上下の連結部
４３  リンクベース
４３ａ    案内縦溝部
５  第２のロッド棒
６  鎖錠部
【図１】
2004162465.tif 000003
【図２】
2004162465.tif 000004
【図３】
2004162465.tif 000005
【図４】
2004162465.tif 000006
【図５】
2004162465.tif 000007
【図６】
2004162465.tif 000008
【図７】
2004162465.tif 000009
【図８】
2004162465.tif 000010
【図９】
2004162465.tif 000011
【図１０】
2004162465.tif 000012
【図１１】
2004162465.tif 000013